(57)【要約】【課題】外鉢から中鉢を容易に取り外すことができ、メンテナンス性に優れた園芸用鑑賞鉢を提供すること。【解決手段】園芸用鑑賞鉢１は、通水性のない外鉢２０と、外鉢２０の内部に挿置する中鉢１０とからなる２重構造を呈するものである。中鉢１０は、その外周側に突出するツバ部１１を有してなり、ツバ部１１の外周面を外鉢２０の内周面と当接させた状態で、外鉢２０の内周側に保持されるように構成してあると共に、ツバ部１１には、中鉢１０を外鉢２０から取り出すためのメンテナンスラベル３０を差し込み係合するラベル穴１１０を設けてなる。メンテナンスラベル３０は、中鉢１０を外鉢２０から取り出す際につまみ上げるラベル部３３と、中鉢１０のツバ部１１のラベル穴１１０に挿入、係合させる係合部３１と、ラベル部３３と係合部３１との間に設けた連結部３２とからなる。【選択図】図１
2005261307.tif 000002
【特許請求の範囲】
【請求項１】
通水性のない外鉢と、該外鉢の内部に挿置する中鉢とからなると共に、上記外鉢の内部に上記中鉢を挿置したとき、該中鉢の底部と上記外鉢の底部との間に水溜まり用の間隙が形成されるように構成した２重構造を呈する園芸用鑑賞鉢において、
上記中鉢は、その外周側に突出するツバ部を有してなり、該ツバ部の外周面を上記外鉢の内周面と当接させた状態で、上記外鉢の内周側に保持されるように構成してあると共に、上記ツバ部には、上記中鉢を上記外鉢から取り出すためのメンテナンスラベルを差し込み係合するラベル穴を設けてなり、
上記メンテナンスラベルは、上記中鉢を上記外鉢から取り出す際につまみ上げるラベル部と、上記中鉢のツバ部の上記ラベル穴に挿入、係合させる係合部と、上記ラベル部と上記係合部との間に設けた連結部とからなることを特徴とする園芸用鑑賞鉢。
【請求項２】
請求項１において、上記ツバ部は、上記中鉢の外周全周に渡って形成された環状を呈することを特徴とする園芸用鑑賞鉢。
【請求項３】
請求項１又は２において、上記メンテナンスラベルにおける上記係合部は、弾性変形により上記ラベル穴に挿入可能な形状を呈し、かつ、上記ラベル穴を通過した後の弾性的な復元により、上記ツバ部に係合する形状を呈するよう構成してあることを特徴とする園芸用鑑賞鉢。
【請求項４】
請求項１〜３のいずれか１項において、上記外鉢は、内周面又は外周面の少なくとも一方が、防水性を有する通水防止層により構成されていることを特徴とする園芸用鑑賞鉢。
【発明の詳細な説明】
【技術分野】
【０００１】
本発明は、外鉢と中鉢とを組み合わせた２重構造の園芸用鑑賞鉢に関する。
【背景技術】
【０００２】
従来、例えば、園芸用の鑑賞鉢として、観用植物や花等の植物を植栽する中鉢と、この中鉢を収容する外鉢との２重構造を有するものがある（例えば、特許文献１参照。）。このような園芸用鑑賞鉢では、中鉢の外周を覆うように防水性の外鉢を設けることで、植物に与えた水や、肥料等が、外部に流出するおそれを少なくしてある。そして、このように外部への水等の流出を防止した園芸用鑑賞鉢は、特に屋内用として利用され、高い美観を有するものとなる。
【０００３】
【特許文献１】特開平７−２０９１５５号公報
【０００４】
しかしながら、上記従来の園芸用鑑賞鉢では、次のような問題がある。すなわち、外鉢から中鉢を取り外すのが容易ではないという問題がある。例えば、鉢全体を逆さまにすれば、外鉢から中鉢を容易に取り外すことができる。しかし、植物が植栽された状態では、鉢全体を逆さまにすることは困難である。一方、上記園芸用鑑賞鉢では、外鉢に蓄えた水や肥料等の腐敗などを防止し、その美観を高く維持するためには、定期的に中鉢を取り出して、外鉢の内部の水等を排出したり、清掃する必要がある。
【発明の開示】
【発明が解決しようとする課題】
【０００５】
本発明は、上記従来の問題に鑑みてなされたものであり、外鉢から中鉢を容易に取り外すことができ、メンテナンス性に優れた園芸用鑑賞鉢を提供しようとするものである。
【課題を解決するための手段】
【０００６】
本発明は、通水性のない外鉢と、該外鉢の内部に挿置する中鉢とからなると共に、上記外鉢の内部に上記中鉢を挿置したとき、該中鉢の底部と上記外鉢の底部との間に水溜まり用の間隙が形成されるように構成した２重構造を呈する園芸用鑑賞鉢において、
上記中鉢は、その外周側に突出するツバ部を有してなり、該ツバ部の外周面を上記外鉢の内周面と当接させた状態で、上記外鉢の内周側に保持されるように構成してあると共に、上記ツバ部には、上記中鉢を上記外鉢から取り出すためのメンテナンスラベルを差し込み係合するラベル穴を設けてなり、
上記メンテナンスラベルは、上記中鉢を上記外鉢から取り出す際につまみ上げるラベル部と、上記中鉢のツバ部の上記ラベル穴に挿入、係合させる係合部と、上記ラベル部と上記係合部との間に設けた連結部とからなることを特徴とする園芸用鑑賞鉢にある（請求項１）。
【０００７】
本発明の鑑賞用園芸鉢における上記中鉢は、その外周側に上記ツバ部を有している。そして、このツバ部に設けた上記ラベル穴には、上記中鉢を上記外鉢から取り出す際につまみ上げるラベル部と、上記中鉢のツバ部の上記ラベル穴に挿入、係合させる係合部と、上記ラベル部と上記係合部との間に設けた連結部とからなる上記メンテナンスラベルを差し込み係合してある。
【０００８】
そのため、上記園芸用鑑賞鉢では、上記メンテナンスラベルにおける上記係合部とは反対側の端部に位置した上記ラベル部をつまみ上げることで、上記外鉢から上記中鉢を容易に取り外すことができる。それ故、上記園芸用鑑賞鉢では、外鉢の内部の水等の排出清掃等を作業性良く実施することができ、メンテナンス性に優れている。
【０００９】
また、上記メンテナンスラベルの上記ラベル部には、例えば、花の名前や管理方法などを記載しておくこともでき、植物を管理する上で有効となる。
上記外鉢は、上記中鉢の植物等に与えた水分等のうち、中鉢から排出された余剰の水分等を、上記外鉢に蓄えることができる。そのため、上記外鉢と上記中鉢とからなる上記園芸用鑑賞鉢は、住宅や事務所等の屋内にも安心して配置でき、身近に鑑賞するのに適したものとなる。さらに、上記外鉢として、例えば、高級陶磁器を用いると、植物を植栽した園芸用鑑賞鉢全体の美観を一層、向上することができる。
【００１０】
以上のように、本発明の園芸用鑑賞鉢は、手入れの行き届いた美観に優れたものとなる。
【発明を実施するための最良の形態】
【００１１】
本発明においては、上記外鉢は、上記中鉢から排出される水分等を貯留するためのものであるため、非通水性の陶磁器やプラスチック製など、水分を通さない材料で作成してある。そしてそれ故、上記外鉢は、一般の植木鉢が有している排水用の底穴も有してない。一方、上記中鉢は、プラスチックあるいは、素焼製など、一般の植木鉢と同様であり、底部に排水用の底穴を有する。
また、上記メンテナンスラベルは、ＰＥＴ（ポリエチレンテレフタレート樹脂）、ＰＰ（ポリプロピレン樹脂）、ＰＥ（ポリエチレン樹脂）等により形成することができる。
【００１２】
また、上記ツバ部は、上記中鉢の外周全周に渡って形成された環状を呈することが好ましい（請求項２）。
この場合には、上記中鉢の外周全周に渡って形成した上記ツバ部の外周面を、上記外鉢の内周面に当接させることで、該外鉢の内周側で上記中鉢を、安定性高く保持することができる。
【００１３】
また、上記メンテナンスラベルにおける上記係合部は、弾性変形により上記ラベル穴に挿入可能な形状を呈し、かつ、上記ラベル穴を通過した後の弾性的な復元により、上記ツバ部に係合する形状を呈するよう構成してあることが好ましい（請求項３）。
この場合には、上記係合部に弾性変形を生じさせることで、該係合部を上記ラベル穴に容易に挿入できる。そして、上記ラベル穴を貫通した後に弾性的に復元した上記係合部は、確実に上記ツバ部に係合できる。
【００１４】
上記の構成の係合部としては、例えば、挿入方向を指し示すごとく矢印形状を呈してなり、その中心軸線に沿って設けた折り目を中心にして弾性的に折り曲げ可能に構成したものがある。さらに、例えば、挿入方向を指し示すごとく矢印形状を呈してなり、その中心軸線に沿って連結部まで至るように設けた切れ目を有してなり、弾性復元した状態（自由状態）では切れ目が先端に向けて拡開しており、かつ、弾性変形により切れ目を閉じるように構成した係合部もある。
【００１５】
また、上記外鉢は、内周面又は外周面の少なくとも一方が、防水性を有する通水防止層により構成されていることが好ましい（請求項４）。
この場合には、上記外鉢自体の材料としては、例えば、素焼、木材等の軽量なものを用いることができる。なお、上記通水防止層の形成方法としては、上記外鉢の内側又は外側に防水コーティングする方法や、防水膜を配置する方法等がある。
【実施例】
【００１６】
（実施例１）
本例は、外鉢２０と中鉢１０とを組み合わせた２重構造を呈する園芸用鑑賞鉢１に関する例である。この内容について、図１〜図５を用いて説明する。
本例の園芸用鑑賞鉢１は、図１及び図２に示すごとく、通水性のない外鉢２０と、該外鉢２０の内部に挿置する中鉢１０とからなると共に、外鉢２０の内部に中鉢１０を挿置したとき、中鉢１０の底部と外鉢２０の底部との間に水溜まり用の間隙Ｇが形成されるように構成した２重構造を呈するものである。
中鉢１０は、その外周側に突出するツバ部１１を有してなり、該ツバ部１１の外周面を外鉢２０の内周面と当接させた状態で、外鉢２０の内周側に保持されるように構成してあると共に、ツバ部１１には、中鉢１０を外鉢２０から取り出すためのメンテナンスラベル３０を差し込み係合するラベル穴１１０を設けてなる。
メンテナンスラベル３０は、中鉢１０を外鉢２０から取り出す際につまみ上げるラベル部３３と、中鉢１０のツバ部１１のラベル穴１１０に挿入、係合させる係合部３１と、ラベル部３３と係合部３１との間に設けた連結部３２とからなる。
この内容について、以下に詳しく説明する。
【００１７】
すなわち、本例の園芸用鑑賞鉢１では、連結部３２をラベル穴１１０内に配置したメンテナンスラベル３０は、ツバ部１１の略鉛直方向の上側にラベル部３３を配置し、ツバ部１１の略鉛直方向の下側に係合部３１を配置するように構成してある。このように配置したメンテナンスラベル３０は、係合部３１が、ラベル穴１１０からメンテナンスラベル３０を引き抜く方向の力に対抗してツバ部１１に係合するように構成してある。
【００１８】
上記園芸用鑑賞鉢１は、図１及び図２に示すごとく、外鉢２０の内周側に、その内周面２０５と所定の隙間を設けた状態で、中鉢１０を収容するように構成した２重構造のものである。本例では、断面略円形状を呈するように外鉢２０を構成すると共に、この外鉢２０に対応して、中鉢１０の断面形状も略円形状に形成してある。そして、植物１５は、中鉢１０に収容した植土１１１に植栽されている。
また、中鉢１０を外鉢２０に挿置したとき、中鉢１０のツバ部１１の上端面は、外鉢２０の上端面よりも内部に挿入された状態にあり、ツバ部１１をつまみ上げることができない。それ故、ツバ部１１のラベル穴１１０に、メンテナンスラベル３０を差し込み係合してあるのである。
【００１９】
なお、上記外鉢２０及び上記中鉢１０の断面形状については、本例の略円形状に限定されるものではなく、四角形状や、楕円形状や、三角形状や、多角形状など、様々な形状とすることができる。さらになお、本例のように外鉢２０の断面形状と中鉢１０の断面形状とを略同一形状にすれば両者の組み合わせ状態が良好となるが、これに限定されるものではなく、外鉢２０の断面形状と中鉢１０の断面形状を異なる形状の組み合わせにすることもできる。例えば、円形状の外鉢２０によれば、この円形状に内接する様々な断面形状の中鉢１０を、汎用性高く収容することができる。
【００２０】
上記外鉢２０は、図１に示すごとく、陶磁器製のものであり、防水性と意匠性向上とを目的とした上薬よりなる通水防止層２０１をその外周面に設けたものである。それ故、この外鉢２０は、中鉢１０から流出した植土やごみのみならず、水１１７や肥料等の液状体をも蓄えることができる。なお、本例の外鉢２０に代えて、内周面に、防水性を有するビニールコーティング膜等よりなる通水防止層を配設した外鉢を用いることもできる。
【００２１】
上記中鉢１０は、プラスチックよりなり、底部に排水用の底穴１１６を有するものである。そして、この中鉢１０は、図１及び図２に示すごとく、その開口部１００の外周側に、略一定の厚さを呈すると共に、開口部１００を取り囲むように形成された略円環状のツバ部１１を形成してなる。上記園芸用鑑賞鉢１では、略円環状のツバ部１１の外周面１１５を外鉢２０の内周面２０５に当接させることで、外鉢２０の底部と中鉢１０の底部との間に、水溜まり用の間隙Ｇを設けた状態で中鉢１０が保持される。また、本例の中鉢１０のツバ部１１には、メンテナンスラベル３０を取り付けるための断面略矩形状（幅Ｗ２×高さＷ４。）を呈するラベル穴１１０が、略鉛直方向に貫通している。
【００２２】
なお、本例では、中鉢１０の外周全周に渡って略円環状のツバ部１１を形成したが、これに代えて、中鉢１０の外周の一部に、外周側に突出するツバ部１１を形成することもできる。さらになお、本例の中鉢１０では、その開口部１００側の上端部にツバ部１１を設けたが、これに代えて、中鉢１０の胴部の外周にツバ部を設けることもできる。
【００２３】
上記メンテナンスラベル３０は、図３に示すごとく、ラベル部３３と係合部３１とを両端側に有すると共に、その中間にラベル部３３と係合部３１とを連結する連結部３２を配置してなる。本例のメンテナンスラベル３０は、ＰＥＴよりなるフィルム状のシートを打ち抜いて形成してなり、適度な、弾力性としなやかさとを併せもつものである。
【００２４】
このメンテナンスラベル３０においては、略一定幅Ｗｍを呈する連結部３２に対して、両端のラベル部３３及び係合部３１を幅広に形成してある。
ラベル部３３は、メンテナンスラベル３０を取り付けたときに、園芸用鑑賞鉢１の外部に突出する部分である。このラベル部３０は、外鉢２０から中鉢１０を取り外す際のつかみ手として機能すると共に、植栽した植物の名称を記入したり、手入れ方法等を印刷したり、メモしておくのに好適なものである。
【００２５】
係合部３１は、略矢印形状を呈するように形成されたものである。本例では、この矢印形状を呈する係合部３１の幅Ｗ１を、上記ツバ部１１に穿孔したラベル穴１１０の形成幅Ｗ２（図２又は図４参照。）よりも大きく設定してある。さらに、係合部３１は、その中心線に沿って、折り目３１０を設けてなる。そして、折り目３１０の両側から、係合部３１を指でつまむ等することで、折り目３１０の近傍に弾性変形を生じさせ、折り目３１０を中心として係合部３１を折り曲げ可能にしてある。本例では、このように係合部３１を折り曲げると、図５に示すごとく、その幅Ｗ３がラベル穴１１０の形成幅Ｗ２よりも小さくなり、容易にラベル穴１１０に挿入できるようにしてある。
【００２６】
さらには、矢印形状を呈する係合部３１では、図５に示すごとく、幅が狭いラベル穴１１０に挿入していくとき、ラベル穴１１０の内周面から作用する反力により、上記折り目３１０を中心として折れ曲がるような弾性変形を生じる。それ故、矢印形状であって、かつ、中心線に沿って折り目３１０を設けた本例の係合部３０によれば、ラベル穴１１０に挿入していくに伴って弾性変形を生じるため、効率良くラベル穴１１０に挿入できる。
【００２７】
そして、このメンテナンスラベル３０は、その係合部３１がラベル穴１１０を通過し、該ラベル穴１１０に連通部３２が収容された状態（図４参照。）で、園芸用鑑賞鉢１に取り付けられる。ここで、ラベル穴１１０を通過した後の係合部３１に、これを折り曲げるような外力が作用しないため、ラベル穴１１０の形成幅Ｗ２よりも幅広（Ｗ１）の初期状態（自由状態）の形状に弾性的に復元する。そのため、外部に突出したラベル部３３を引っ張ったときには、係合部３１がツバ部１１に係合できる。それ故、ラベル穴１１０に連結部３２を収容した状態のメンテナンスラベル３０は、中鉢２０に強固に保持される。
【００２８】
したがって、本例の園芸用鑑賞鉢１において、外鉢２０から中鉢１０を取り外すときには、中鉢１０のツバ部１１のラベル穴１１０から突出したラベル部３３をつまみ上げることで、容易に中鉢１０を取り出すことができる。
そして、このように中鉢１０の取り外しが簡単に実施でき、メンテナンス性が良好な本例の園芸用鑑賞鉢１によれば、初期の良好な美観を長期間に渡って維持することが容易である。また、園芸用鑑賞鉢１を、安心して屋内に配置して鑑賞することができる。
【００２９】
なお、本例の園芸用鑑賞鉢１は、中鉢１０の外周方向の１箇所に設けたラベル穴１１０にメンテナンスラベル３０を取り付けるように構成してある。これに代えて、中鉢１０の外周方向の複数の箇所にラベル穴１１０を設け、各ラベル穴１１０にメンテナンスラベル３０を取り付けるように構成することもできる。
【００３０】
（実施例２）
本例は、実施例１に基づいて、メンテナンスラベル３０の形状、特に、係合部３１の形状を変更した例である。この内容について、図６を用いて説明する。
本例のメンテナンスラベル３０は、その係合部３１に、コの字状を呈する切れ目３１１によって囲まれた略矩形状を係合片３１２を有するものである。該係合片３１２は、メンテナンスラベル３０の先端側に位置し、その長手方向に略直交する辺３１２ａを介して係合部３１の本体部３１３と連結している。
【００３１】
そして、この係合片３１２は、外力が作用しない初期状態（自由状態）では、ラベル部３３側に近づくにつれて係合部３１の本体部３１３から離れるように反り返る形状を呈する。一方、この係合部３１に対してその両面側から外力を作用すると、上記辺３１２ａを中心として弾性変形を生じ、本体部３１３に対して平行に近づくように係合片３１２が回動する。
【００３２】
なお、本例では、初期状態における係合片３１２の先端と本体部３１３との距離Ｗ５を、ラベル穴１１０の形成高さＷ４（図２参照。）よりも大きく設定してある。それ故、係合部３１がラベル穴１１０を通過した後、自由状態に復帰すると、係合部３１の本体部３１３から離れるように反り返った係合片３１２が、ツバ部１１に係合する。
【００３３】
また、本例のメンテナンスラベル３０では、その先端側の辺３１２ａを介して係合片３１２を連結してある。そのため、形成高さ（図２中、Ｗ４で示す寸法。）が低いラベル穴１１０にメンテナンスラベル３０を挿入していくときには、ラベル穴１１０の内周面から係合部３１の両面に作用する反力により、係合片３１２が、本体部３１３と平行に近づくように弾性変形する。それ故、本例のメンテナンスラベル３０の係合部３１は、ラベル穴１１０に容易に挿入することができる。
なお、その他の構成及び作用効果については、実施例１と同様である。
【図面の簡単な説明】
【００３４】
【図１】実施例１における、園芸用鑑賞鉢の断面構造を示す断面図。
【図２】実施例１における、園芸用鑑賞鉢の外鉢と中鉢との組み合わせ構造を説明する説明図。
【図３】実施例１における、メンテナンスラベルを示す斜視図。
【図４】実施例１における、ツバ部に対するメンテナンスラベルの係合状態を説明する説明図（（Ａ）は、図１におけるＡ線矢視図。（Ｂ）は、（Ａ）におけるＢ−Ｂ線矢視断面図。）。
【図５】実施例１における、メンテナンスラベルをラベル穴に挿入していく様子を説明する説明図（（Ｂ）は、（Ａ）におけるＣ−Ｃ線矢視断面図。）。
【図６】実施例２における、メンテナンスラベルを示す正面図（Ａ）と側面図（Ｂ）。
【符号の説明】
【００３５】
１  園芸用鑑賞鉢
１０  中鉢
１１  ツバ部
１１０  ラベル穴
２０  外鉢
３０  メンテナンスラベル
３１  係合部
３２  連結部
３３  ラベル部
【図１】
2005261307.tif 000003
【図２】
2005261307.tif 000004
【図３】
2005261307.tif 000005
【図４】
2005261307.tif 000006
【図５】
2005261307.tif 000007
【図６】
2005261307.tif 000008